(57)【要約】      （修正有）【課題】家庭及びホテル用のトルマリン鉱石健康ユニットマイナスイオンサウナーを提供する。【解決手段】真水を水槽タンク３に溜め循環ポンプ９によってトルマリン鉱石６に接触させながらマイナスイオンと、遠赤外線を発生させてユニット室内で適温（適温一例４２度−５０度）で入浴とシャワーが出来るようにする。ボイラーにより温熱を送り、床温熱発生装置１０から快適温度（１例４０℃−５０℃）の温熱が床から特殊シンダーコンクリートブロック１５を温め、トルマリン鉱石セラミックスボール１４に快適温度と鉱石特有のマイナスイオンと遠赤外線が寝て居る身体に温熱で伝わり、身体の血行が良くなって多量のサワヤカな汗が身体の毒素と一緒に排除されるのでマイナスイオン水を沢山飲み，音楽及びテレビを聞きながらリラックス出来るサウナ風呂です。【選択図】図１
2006026356.tif 000002
【特許請求の範囲】
【請求項１】
電気鉱石（トルマリン鉱石・薬石鉱石）等、マイナスイオンが発生できる鉱石類を▲１▼蓄積層に投入する装置です。
【請求項２】
水を▲４▼のパイプよりシャワー方式でトルマリン鉱石の中に水が蓄積し、水が▲１８▼の水落とし穴から▲２▼の蓄積層に水が▲６▼のトルマリン鉱石を通過して、▲３▼水槽タンクに蓄積される装置です。
【請求項３】
▲３▼の水槽タンクに蓄積された水を▲９▼循環ポンプで▲４▼の放水シャワーパイプに送り、循環してマイナスイオンが発生できる装置です。
【請求項４】
▲６▼のトルマリン鉱石はマイナス電極に蓄えられた電子に、水が触れると瞬間的に放電され、水分子は水素イオン（Ｈ＋）と水酸イオン（ＯＨ−）電気分解されます。
そしてＨプラスはトルマリン電極に引きつけられ水素ガス（Ｈ２）となり、放出されます。
ＯＨマイナスは水分子（Ｈ２Ｏ）と結合して〔ヒドロキシルオン（Ｈ３Ｏ）−〕と呼ばれる界面活性効果を持った物質を発生し続けます。
これが〔マイナスイオン〕です。
【請求項５】
水を循環して▲６▼のトルマリン鉱石に触れることによって（マイナスイオン水）となり▲１８▼穴から落下して水しぶきとなりマイナスイオンが室内に充満し、それを呼吸によって体内に吸収されて身体が活性化されるのです。
【請求項６】
▲３▼の水槽タンク（マイナスイオン水）は▲２２▼のシャワーに接続され使用する事により健康効果が大きくなります。
【請求項７】
▲１６▼バスタオルを敷き其の上に寝ながらリラックス出来、又腰掛けて家族と一緒にテレビを見ながら循環水の流動間を楽しみながらリラックスが出来る装置です。
【請求項８】
▲１０▼床暖房装置は協力者により特殊コンクリート工法、（黒曜石に３０００度以上の熱を加え加工した材料）を７５％＋砂１５％＋セメント１０％を練り合わせて出来たコンクリートが、健康サウナに最適な材料となったのです。
〔シンダーコンクリート素材〕が完成したのです。
シンダーコンクリート素材は超省エネルギーにつながった事・平均温度が長時間保つ事・輻射熱効果が高い事・銅管パイプの破損率が無い事が実証出来たのです。
【請求項９】
▲１９▼自家用ボイラーからの▲１８▼パイプに接続して適温の熱（例えば４２度から４５度）が床暖房特殊シンダーコンクリートに伝導して、▲１５▼のトルマリン鉱石特殊シンダーブロックへと伝導します。
【請求項１０】
トルマリン鉱石を粉末状に加工、▲１４▼のセラミックスボールに作成し、其のボールが快適の温度に温まり、マイナスイオンが温熱により発生して▲１６▼バスタオルの上で寝ている体に快適温度が伝導して身体にマイナスイオンが温熱で伝わるため血行がよくなり、リラックスしながら、マイナスイオンと遠赤外線が伝わり、サワヤカな汗が多量に出るので、マイナスイオン水を飲み体の毒素を汗と一緒に出す方法です。
【請求項１１】
〔特殊シンダーコンクリートと一般的コンクリートの違い〕
一般的のコンクリートは（セメント１０％・砂３０％・砂利６０％）を練り合わせたコンクリートを使用します。
今回の特殊シンダーコンクリートは１例（セメント１０％・砂１５％・７５％黒曜石を３０００度以上で熱を加えて加工した材料）で練り合わせたコンクリートを使用する事により、熱の伝導率がよく、蓄積された特殊コンクリート、床強度も耐えうる協力者の発明です。
【請求項１２】
平面図（１−２）▲１５▼シンダーブロック、１例（５０ｃｍ角×１０ｃｍ）の板状の特殊シンダーコンクリートブロックを作り其れに▲１４▼トルマリンセラミックスボールを埋め込み、▲１３▼のパイプ９本を取り付け〔図面（１−２）床断面図〕のように作成します。（工場加工）
其の特殊シンダーブロックを床暖房の上に畳のように敷き詰めて、〔図面（１−１）〕のように２段に作成する事により、腰掛にもなり上段は寝ながらリラックスが出来ます。
【発明の詳細な説明】
【技術の分野】
【０００１】  本発明は、家庭用又はホテル用のユニットサウナーに電気石（トルマリン鉱石・薬石鉱石）等でマイナスイオンが発生出来る装置に関するものである。
【背景技術】
【０００２】  従来のサウナーは室内が高温と暑苦しく、喚起が悪く我慢しなら汗を搾り出しているのが現状です。
【発明の開示】
【発明が解決しようとする課題】
【０００３】  超省エネルギー特殊シンダーコンクリート床暖房装置の開発により２４時間入浴が出来る状態になっているので家族が揃って自由に入浴が出来、テレビを見ながら、遠赤外線及びトルマリン鉱石マイナスイオンが呼吸により体内に吸収され、床下よりマイナスイオンが体に伝導し血行がよく、マイナスイオン水を飲みながら、長時間入浴が出来、多量の快適な汗が体の毒素と一緒に排除されることにより生活習慣病が解決される装置です。
【課題を解決するための手段】
【０００４】  トルマリン鉱石を粉末にしてセラミックスボールに加工し▲１５▼特殊シンダーブロックに▲１４▼のように埋め込み、▲１０▼床暖房シンダーコンクリートの温熱とマイナスイオンが▲１３▼のパイプを通過して体に伝わり身体が活性化する装置です。
循環装置で発生するマイナスイオンを呼吸しながら体内に吸収出来る方法と床下から身体にマイナスイオンと温熱が同時に身体に伝導出来る健康効果に約立つ装置です。
電気石（トルマリン鉱石の特性）
１．永久微弱電流の発生効果
Ａ、電場形成    Ｂ、マイナスイオン発生    Ｃ、界面活性作用
２．遠赤外線効果
４から１４ミクロンの波長、黒体と同レベル
３．ミネラルの溶出効果    Ｂホウ素  Ｍｇマグネシウム  Ｆｅ鉄【０００５】１．床温熱装置と水を循環してトルマリン鉱石にシャワーのように水落しにより快適な湿度が室内でマイナスイオンが発生して呼吸を介して体に入ることで身体が活性化される装置です。
２．快適の温度（例えば４０度から５０度の）で体に直接マイナスイオンが温位で伝わり多量のサワヤカな汗が出ることで身体が活性化します。
３．遠赤外線効果（トルマリン鉱石に水圧力がかかる事で電圧が生まれ〔圧電気ビエゾ電気〕湿度変化が生じると正面に電荷が発生します。静電気の電圧とエネルギーを発生する赤外線装置です）【０００６】〔赤外線の健康効果〕
身体から常に放出されている熱エネルギーを、いったんトルマリンが吸収しマイナスイオンと赤外線に変化して、再び身体に戻す働きをします。
疲労回復・胃腸の活性化・冷え性の緩和。
細胞の浄化作用・血液の浄化作用・抵抗力の増加作用・自立神経の調整作用
交換神経の働きの抑制・副交換神経の働きの増進・皮膚病・肌の美白効果・細胞の自然治癒力の増加等マイナスイオン発生装置です。
【符号の説明】
▲１▼．  第１蓄積層
▲２▼．  第２蓄積層
▲３▼．  水槽タンク（水道水）
▲４▼．  放水シャワーパイプ
▲５▼．  水しぶき受け板
▲６▼．  トルマリン鉱石〔電気石〕
▲７▼．  輻射熱シンダーコンクリート断熱材
▲８▼．  循環水シャワー
▲９▼．  循環ポンプ
▲１０▼．  シンダーコンクリート
▲１１▼．  銅管〔温熱送湯管〕
▲１２▼．  ユニット〔床基礎〕
▲１３▼．  パイプ〔温熱〕
▲１４▼．  トルマリン鉱石セラミックスボール〔半型〕
▲１５▼．  特殊シンダーブロック
▲１６▼．  バスタオル〔寝る所〕
▲１７▼．  銅パイプ〔送油管〕
▲１８▼．  水落とし穴
▲１９▼．  ボイラー
▲２０▼．  マイナスイオン発生装置
▲２１▼．  段差の仕切り〔カマチ〕
▲２２▼．  シャワーセット
▲２３▼．  抹消
▲２３▼．  排水装置
▲２５▼．  温熱空間
▲２６▼．  換気扇装置
▲２７▼．  電気装置
▲２８▼．  入り口ドアー
▲２９▼．  洗面セット
▲３０▼．  テレビ据付装置
▲３１▼．  水道装置
【図１】
2006026356.tif 000003
【図２】
2006026356.tif 000004
【図３】
2006026356.tif 000005
【手続補正書】
【提出日】平成16年9月10日(2004.9.10)
【手続補正１】
【補正対象書類名】明細書
【補正対象項目名】全文
【補正方法】変更
【補正の内容】
【発明の詳細な説明】
【技術の分野】
【０００１】
本発明は、家庭用又はホテル用のユニットサウナーに電気石（トルマリン鉱石・薬石鉱石）等でマイナスイオンが発生出来る装置に関するものである。
【従来の技術】
【０００２】
従来のサウナーは室内が高温と暑苦しく、喚起が悪く我慢しながら汗を搾り出しているのが現状です。
【発明の開示】
【発明が解決しようとする課題】
【０００３】
超省エネルギー特殊シリンダーコンクリート床暖房装置の開発により24時間入浴が出来る状態になっているので家族が揃って自由に入浴が出来、テレビを見ながら、遠赤外線及びトルマリン鉱石マイナスイオンが呼吸により体内に吸収され、床下よりマイナスイオンが体に伝導し血行がよく、マイナスイオン水を飲みながら、長時間入浴が出来、多量の快適な汗が体の毒素と一緒に排除されることにより生活習慣病が解決される装置です。
【課題を解決するための手段】
【０００４】
トルマリン鉱石を粉末にしてセラミックスボールに加工し特殊シンダーブロック15に14のように埋め込み、床暖房シンダーコンクリート10の温熱とマイナスイオンがパイプ13を通過して体に伝わり身体が活性化する装置です。
循環装置で発生するマイナスイオンを呼吸しながら体内に吸収出来る方法と床下から身体にマイナスイオンと温熱が同時に身体に伝導出来る健康効果に約立つ装置です。
電気石（トルマリン鉱石の特性）
１．永久微弱電流の発生効果
Ａ、電場形成    Ｂ、マイナスイオン発生    Ｃ、界面活性作用
２．遠赤外線効果
4から14ミクロンの波長、黒体と同レベル
３．ミネラルの溶出効果    Ｂホウ素  Ｍｇマグネシウム  Ｆｅ鉄
【０００５】
１．床温熱装置と水を循環してトルマリン鉱石にシャワーのように水落しにより快適な湿度が室内でマイナスイオンが発生して呼吸を介して体に入ることで身体が活性化される装置です。
２．快適の温度（例えば４０度から50度の）で体に直接マイナスイオンが温位で伝わり多量のサワヤカな汗が出ることで身体が活性化します。
３．遠赤外線効果（トルマリン鉱石に水圧力がかかる事で電圧が生まれ〔圧電気ビエゾ電気〕湿度変化が生じると正面に電荷が発生します。静電気の電圧とエネルギーを発生する赤外線装置です）
【０００６】
〔赤外線の健康効果〕
身体から常に放出されている熱エネルギーを、いったんトルマリンが吸収しマイナスイオンと赤外線に変化して、再び身体に戻す働きをします。
疲労回復・胃腸の活性化・冷え性の緩和。
細胞の浄化作用・血液の浄化作用・抵抗力の増加作用・自立神経の調整作用・交換神経の働きの抑制・副交感神経の働きの増進・皮膚病・肌の美白効果・細胞の自然治癒力の増加等マイナスイオン発生装置です。
【図面の簡単な説明】
【０００７】
【図１】本発明を適用したトルマリン鉱石健康ユニットサウナーマイナスイオン発生装置の横断面図である。
【図２】同マイナスイオン発生装置を構成する特殊シンダーブロックの平面図である。
【図３】同マイナスイオン発生装置の床平面図である。
【図４】同マイナスイオン発生装置の暖房床配管平面図である。
【図５】同マイナスイオン発生装置の断面図である。
【符号の説明】
【０００８】
１．第1蓄積層
２．第2蓄積層
３．水槽タンク（水道水）
４．放水シャワーパイプ
５．水しぶき受け板
６．トルマリン鉱石（電気石）
７．輻射熱シンダーコンクリート断熱材
８．循環水シャワー
９．循環ポンプ
10．シンダーコンクリート
11. 銅管（温熱送湯管）
12. ユニット（床基礎）
13. パイプ（温熱）
14. トルマリン鉱石セラミックスボール（半型）
15. 特殊シンダーブロック
16. バスタオル（寝る所）
17. 銅パイプ（送油管）
18. 水落とし穴
19. ボイラー
20．マイナスイオン発生装置
21．段差の仕切り（カマチ）
22．シャワーセット
23．抹消
24．排水装置
25．温熱空間
26．換気扇装置
27．電気装置
28．入り口  ドアー
29．洗面セット
30．テレビ据付装置
31．水道装置
【手続補正２】
【補正対象書類名】図面
【補正対象項目名】全図
【補正方法】変更
【補正の内容】
【図１】
2006026356.tif 000006
【図２】
2006026356.tif 000007
【図３】
2006026356.tif 000008
【図４】
2006026356.tif 000009
【図５】
2006026356.tif 000010